【手続補正書】
【提出日】平成20年6月16日(2008.6.16)
【手続補正１】
【補正対象書類名】特許請求の範囲
【補正対象項目名】全文
【補正方法】変更
【補正の内容】
【特許請求の範囲】
【請求項１】
遊技者を特定可能な遊技者特定情報及び遊技に使用可能な遊技用価値の大きさを特定可能な遊技用価値特定情報が記録された遊技者特定記録媒体並びに貨幣を受付けて、該受付貨幣金額の範囲内の所定額に相当する遊技用価値の大きさを前記遊技者特定記録媒体の遊技用価値特定情報より特定される遊技用価値の大きさに加算する価値加算処理を少なくとも行う価値加算装置と、
前記遊技者特定記録媒体を受付けて、該受付けた遊技者特定記録媒体の遊技用価値特定情報から特定される遊技用価値の大きさに相当する金額の貨幣を払出す精算処理を行う精算装置と、
少なくとも前記価値加算装置並びに前記精算装置と通信可能であって、前記価値加算処理並びに精算処理に関する情報を収集・管理する管理装置と、から成る遊技用システムにおいて、
前記精算装置は、前記精算処理の対象となった遊技者特定記録媒体の遊技者特定情報を含む精算情報を前記管理装置に送信し、
前記管理装置は、
送信されてきた精算情報に基づいて、遊技者特定情報と、精算処理がなされた時刻と、を含む精算履歴を管理するとともに、
該精算履歴に基づいて、同一遊技者特定情報において、所定期間内に前記精算処理が所定回数以上行われた遊技者特定情報を抽出する抽出処理を行い、該抽出結果を出力することを特徴とする遊技用システム。
【請求項２】
前記管理装置は、
送信されてきた精算情報に基づいて、遊技者特定情報と、精算処理がなされた時刻と、精算処理に供された遊技用価値の大きさと、を含む前記精算履歴を管理するとともに、
該精算履歴に基づいて、同一遊技者特定情報において、所定期間内に精算金額が所定金額以上の精算処理が所定回数以上行われた遊技者特定情報を抽出する抽出処理を行い、該抽出結果を出力する請求項１に記載の遊技用システム。
【請求項３】
前記管理装置は、抽出条件となる精算処理の回数並びに精算金額の変更設定が可能である請求項２に記載の遊技用システム。
【請求項４】
前記管理装置は、前記抽出結果に含まれる遊技者特定情報を不正の可能性がある遊技者特定情報として登録し、該登録情報を出力する請求項１〜３のいずれかに記載の遊技用システム。
【請求項５】
前記管理装置は、前記不正の可能性のある遊技者特定情報として登録されている遊技者特定情報について、該遊技者特定情報が該当する遊技者特定記録媒体の使用を不可とするための無効情報を受付けて、該無効情報に該当する遊技者特定情報を無効遊技者特定情報として登録し、該登録情報に基づいて前記価値加算処理と精算処理において各処理の対象となる遊技者特定記録媒体の使用の可否を判定する可否判定処理を行う請求項４に記載の遊技用システム。
【請求項６】
前記価値加算装置には、各装置を識別可能な識別情報が付与され、
前記価値加算装置は、前記価値加算処理の対象となった遊技者特定記録媒体の遊技者特定情報と、該価値加算処理に供された遊技用価値の大きさを特定可能な情報と、該価値加算処理を実施した装置の識別情報と、を含む価値加算情報を前記管理装置に送信し、
前記管理装置は、
送信されてきた前記価値加算情報に基づいて、前記遊技者特定情報と、価値加算処理に供された遊技用価値の大きさと、価値加算処理が実施された装置の識別情報と、を含む遊技者特定記録媒体の価値加算履歴を管理するとともに、
前記抽出した遊技者特定情報について当日の価値加算履歴を抽出し、該抽出結果を出力する請求項１〜５のいずれかに記載の遊技用システム。
【手続補正２】
【補正対象書類名】明細書
【補正対象項目名】０００７
【補正方法】削除
【補正の内容】
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】変更
【補正の内容】
【０００９】
前記した問題を解決するために、本発明の遊技用システムは、
遊技者を特定可能な遊技者特定情報及び遊技に使用可能な遊技用価値の大きさを特定可能な遊技用価値特定情報が記録された遊技者特定記録媒体並びに貨幣を受付けて、該受付貨幣金額の範囲内の所定額に相当する遊技用価値の大きさを前記遊技者特定記録媒体の遊技用価値特定情報より特定される遊技用価値の大きさに加算する価値加算処理を少なくとも行う価値加算装置と、
前記遊技者特定記録媒体を受付けて、該受付けた遊技者特定記録媒体の遊技用価値特定情報から特定される遊技用価値の大きさに相当する金額の貨幣を払出す精算処理を行う精算装置と、
少なくとも前記価値加算装置並びに前記精算装置と通信可能であって、前記価値加算処理並びに精算処理に関する情報を収集・管理する管理装置と、から成る遊技用システムにおいて、
前記精算装置は、前記精算処理の対象となった遊技者特定記録媒体の遊技者特定情報を含む精算情報を前記管理装置に送信し、
前記管理装置は、
送信されてきた精算情報に基づいて、遊技者特定情報と、精算処理がなされた時刻と、を含む精算履歴を管理するとともに、
該精算履歴に基づいて、同一遊技者特定情報において、所定期間内に前記精算処理が所定回数以上行われた遊技者特定情報を抽出する抽出処理を行い、該抽出結果を出力することを特徴としている。
この特徴によれば、所定期間内に前記精算処理が所定回数以上行われた遊技者特定記録媒体が自動的に抽出されて出力されるようになるため、通常の遊技への使用とは異なり、不正に価値加算処理及び精算処理が実施された可能性のある遊技者特定記録媒体を簡便に特定することができる。
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】変更
【補正の内容】
【００１２】
本発明の遊技用システムは、
前記管理装置は、
送信されてきた精算情報に基づいて、遊技者特定情報と、精算処理がなされた時刻と、精算処理に供された遊技用価値の大きさと、を含む前記精算履歴を管理するとともに、
該精算履歴に基づいて、同一遊技者特定情報において、所定期間内に精算金額が所定金額以上の精算処理が所定回数以上行われた遊技者特定情報を抽出する抽出処理を行い、該抽出結果を出力することが好ましい。
このようにすれば、所定期間内に所定金額以上の精算処理が所定回数以上行われた遊技者特定記録媒体が自動的に抽出されて出力されるようになるため、通常の遊技への使用とは異なり、不正に価値加算処理及び精算処理が実施された可能性のある遊技者特定記録媒体を簡便に特定することができる。
【手続補正８】
【補正対象書類名】明細書
【補正対象項目名】００１３
【補正方法】変更
【補正の内容】
【００１３】
本発明の遊技用システムは、前記管理装置は、抽出条件となる精算処理の回数並びに精算金額の変更設定が可能であることが好ましい。
このようにすれば、遊技場毎の不正判断の方針に合わせて、精算処理の回数並びに精算金額を含む抽出条件を変更できる。
【手続補正９】
【補正対象書類名】明細書
【補正対象項目名】００１６
【補正方法】変更
【補正の内容】
【００１６】
本発明の遊技用システムは、
前記価値加算装置には、各装置を識別可能な識別情報が付与され、
前記価値加算装置は、前記価値加算処理の対象となった遊技者特定記録媒体の遊技者特定情報と、該価値加算処理に供された遊技用価値の大きさを特定可能な情報と、該価値加算処理を実施した装置の識別情報と、を含む価値加算情報を前記管理装置に送信し、
前記管理装置は、
送信されてきた前記価値加算情報に基づいて、前記遊技者特定情報と、価値加算処理に供された遊技用価値の大きさと、価値加算処理が実施された装置の識別情報と、を含む遊技者特定記録媒体の価値加算履歴を管理するとともに、
前記抽出した遊技者特定情報について当日の価値加算履歴を抽出し、該抽出結果を出力することが好ましい。
このようにすれば、その当日において、不正の可能性のある会員カードが使用された装置と該装置における価値加算金額等を確認できるようになり、これらの内容とその装置における実際の入金状況とを比較することで、抽出された遊技者特定記録媒体が不正に使用されたか否かを判定できる。
【手続補正１０】
【補正対象書類名】明細書
【補正対象項目名】００１７
【補正方法】削除
【補正の内容】
【手続補正１１】
【補正対象書類名】明細書
【補正対象項目名】００１８
【補正方法】削除
【補正の内容】
【手続補正１２】
【補正対象書類名】明細書
【補正対象項目名】００１９
【補正方法】変更
【補正の内容】
【００１９】
本発明は次の効果を奏する。
（ａ）請求項１の発明によれば、所定期間内に前記精算処理が所定回数以上行われた遊技者特定記録媒体が自動的に抽出されて出力されるようになるため、通常の遊技への使用とは異なり、不正に価値加算処理及び精算処理が実施された可能性のある遊技者特定記録媒体を簡便に特定することができる。
【手続補正１３】
【補正対象書類名】明細書
【補正対象項目名】００２０
【補正方法】削除
【補正の内容】
【手続補正１４】
【補正対象書類名】明細書
【補正対象項目名】００２１
【補正方法】削除
【補正の内容】
【手続補正１５】
【補正対象書類名】明細書
【補正対象項目名】００２２
【補正方法】変更
【補正の内容】
【００２２】
（ｂ）請求項２の発明によれば、所定期間内に所定金額以上の精算処理が所定回数以上行われた遊技者特定記録媒体が自動的に抽出されて出力されるようになるため、通常の遊技への使用とは異なり、不正に価値加算処理及び精算処理が実施された可能性のある遊技者特定記録媒体を簡便に特定することができる。
【手続補正１６】
【補正対象書類名】明細書
【補正対象項目名】００２３
【補正方法】変更
【補正の内容】
【００２３】
（ｃ）請求項３の発明によれば、遊技場毎の不正判断の方針に合わせて、精算処理の回数並びに精算金額を含む抽出条件を変更できる。
【手続補正１７】
【補正対象書類名】明細書
【補正対象項目名】００２４
【補正方法】変更
【補正の内容】
【００２４】
（ｄ）請求項４の発明によれば、一度抽出された遊技者特定記録媒体を登録しておくことで、新たに抽出された遊技者特定記録媒体とこれら登録されている遊技者特定記録媒体とを照合することができ、これら照合結果を不正な会員遊技者の特定に役立てることができる。
【手続補正１８】
【補正対象書類名】明細書
【補正対象項目名】００２５
【補正方法】変更
【補正の内容】
【００２５】
（ｅ）請求項５の発明によれば、前記不正の可能性のある遊技者特定記録媒体として登録されている遊技者特定記録媒体が、不正な会員遊技者の遊技者特定記録媒体であると断定できた場合等において、その遊技者特定記録媒体の使用を不可とすることで、該遊技者特定記録媒体を使用した不正を防止できる。
【手続補正１９】
【補正対象書類名】明細書
【補正対象項目名】００２６
【補正方法】変更
【補正の内容】
【００２６】
（ｆ）請求項６の発明によれば、その当日において、不正の可能性のある会員カードが使用された装置と該装置における価値加算金額等を確認できるようになり、これらの内容とその装置における実際の入金状況とを比較することで、抽出された遊技者特定記録媒体が不正に使用されたか否かを判定できる。
【手続補正２０】
【補正対象書類名】明細書
【補正対象項目名】０１７９
【補正方法】削除
【補正の内容】
【手続補正２１】
【補正対象書類名】明細書
【補正対象項目名】０１８０
【補正方法】削除
【補正の内容】
【手続補正２２】
【補正対象書類名】明細書
【補正対象項目名】０１８１
【補正方法】変更
【補正の内容】
【０１８１】
前記実施例における各要素は、本発明に対して以下のように対応している。
本発明の請求項１は、
遊技者を特定可能な遊技者特定情報（会員ＩＤ）及び遊技に使用可能な遊技用価値（度数）の大きさを特定可能な遊技用価値特定情報（入金ＩＤ）が記録された遊技者特定記録媒体（会員カード３７）並びに貨幣を受付けて、該受付貨幣金額の範囲内の所定額に相当する遊技用価値（度数）の大きさを前記遊技者特定記録媒体（会員カード３７）の遊技用価値特定情報（入金ＩＤ）より特定される遊技用価値（度数）の大きさに加算する価値加算処理（入金処理）を少なくとも行う価値加算装置（カードユニット３、入金装置２１）
と、前記遊技者特定記録媒体（会員カード３７）を受付けて、該受付けた遊技者特定記録媒体（会員カード３７）の遊技用価値特定情報（入金ＩＤ）から特定される遊技用価値（度数）の大きさに相当する金額の貨幣を払出す精算処理を行う精算装置２２と、
少なくとも前記価値加算装置（カードユニット３、入金装置２１）並びに前記精算装置２２と通信可能であって、前記価値加算処理（入金処理）並びに精算処理に関する情報を収集・管理する管理装置（システムコントローラ１００）と、から成る遊技用システムにおいて、
前記精算装置２２は、前記精算処理の対象となった遊技者特定記録媒体（会員カード３７）の遊技者特定情報（会員ＩＤ）を含む精算情報を前記管理装置（システムコントローラ１００）に送信し、
前記管理装置（システムコントローラ１００）は、
送信されてきた精算情報に基づいて、遊技者特定情報（会員ＩＤ）と、精算処理がなされた時刻と、を含む精算履歴を管理するとともに、
該精算履歴に基づいて、同一遊技者特定情報（会員ＩＤ）において、所定期間内に前記精算処理が所定回数以上行われた遊技者特定情報（会員ＩＤ）を抽出する抽出処理を行い、該抽出結果（出力帳票３）を出力する。
【手続補正２３】
【補正対象書類名】明細書
【補正対象項目名】０１８２
【補正方法】削除
【補正の内容】
【手続補正２４】
【補正対象書類名】明細書
【補正対象項目名】０１８３
【補正方法】削除
【補正の内容】
【手続補正２５】
【補正対象書類名】明細書
【補正対象項目名】０１８４
【補正方法】変更
【補正の内容】
【０１８４】
本発明の請求項２は、
前記管理装置（システムコントローラ１００）は、
送信されてきた精算情報に基づいて、遊技者特定情報（会員ＩＤ）と、精算処理がなされた時刻と、精算処理に供された遊技用価値の大きさと、を含む前記精算履歴を管理するとともに、
該精算履歴に基づいて、同一遊技者特定情報（会員ＩＤ）において、所定期間内に精算金額が所定金額以上の精算処理が所定回数以上行われた遊技者特定情報（会員ＩＤ）を抽出する抽出処理を行い、該抽出結果（出力帳票３）を出力する。
【手続補正２６】
【補正対象書類名】明細書
【補正対象項目名】０１８５
【補正方法】変更
【補正の内容】
【０１８５】
本発明の請求項３は、前記管理装置（システムコントローラ１００）は、抽出条件となる精算処理の回数並びに精算金額の変更設定が可能である。
【手続補正２７】
【補正対象書類名】明細書
【補正対象項目名】０１８６
【補正方法】変更
【補正の内容】
【０１８６】
本発明の請求項４は、前記管理装置（システムコントローラ１００）は、前記抽出結果に含まれる遊技者特定情報（会員ＩＤ）を不正の可能性がある遊技者特定情報（グレー会員リスト）として登録し、該登録情報を出力する。
【手続補正２８】
【補正対象書類名】明細書
【補正対象項目名】０１８７
【補正方法】変更
【補正の内容】
【０１８７】
本発明の請求項５は、前記管理装置（システムコントローラ１００）は、前記不正の可能性のある遊技者特定情報（会員ＩＤ）として登録されている遊技者特定情報（グレー会員リスト）について、該遊技者特定情報（会員ＩＤ）が該当する遊技者特定記録媒体（会員カード３７）の使用を不可とするための無効情報を受付けて、該無効情報に該当する遊技者特定情報（会員ＩＤ）を無効遊技者特定情報として登録（使用不可登録）し、該登録情報に基づいて前記価値加算処理（入金処理）と精算処理において各処理の対象となる遊技者特定記録媒体（会員カード３７）の使用の可否を判定する可否判定処理（入金可否判定処理）を行う。
【手続補正２９】
【補正対象書類名】明細書
【補正対象項目名】０１８８
【補正方法】変更
【補正の内容】
【０１８８】
本発明の請求項６は、
前記価値加算装置（カードユニット３、入金装置２１）には、各装置を識別可能な識別情報（装置ＩＤ）が付与され、
前記価値加算装置（カードユニット３、入金装置２１）は、前記価値加算処理の対象となった遊技者特定記録媒体（会員カード３７）の遊技者特定情報（会員ＩＤ）と、該価値加算処理に供された遊技用価値（度数）の大きさを特定可能な情報と、該価値加算処理を実施した装置の識別情報（装置ＩＤ）と、を含む価値加算情報を前記管理装置に送信し、
前記管理装置（システムコントローラ１００）は、
送信されてきた前記価値加算情報に基づいて、前記遊技者特定情報（会員ＩＤ）と、価値加算処理に供された遊技用価値（度数）の大きさと、価値加算処理が実施された装置の識別情報（装置ＩＤ）と、を含む遊技者特定記録媒体（会員カード３７）の価値加算履歴を管理するとともに、
前記抽出した遊技者特定情報（会員ＩＤ）について当日の価値加算履歴を抽出し、該抽出結果（会員カード使用履歴出力画面）を出力する。